(57)【特許請求の範囲】
【請求項１】
制御チャネルがダウンリンク共有チャネルへマッピングされる際に、前記ダウンリンク共有チャネルがネットワーク内のサービスセルから正しく受信されないだろうことを、端末のモジュールにおいて検出することと、
前記検出に基づき、前記モジュールによって、前記端末をセルフォワードアクセスチャネル状態へ自律的に移行させることと、
を含む方法。
【請求項２】
前記方法は、前記端末におけるユーザアクションの必要なしに、前記端末と前記ネットワークとの間におけるシグナリング搬送接続を自動再確立することを含む、請求項１に記載の方法。
【請求項３】
前記方法は、前記端末が、アクセスチャネル上においてネットワークノードに通知するためのアップリンクシグナリングを開始し、適合するセルにおいてダウンリンク共有チャネル再確立を要求することを含む、請求項１に記載の方法。
【請求項４】
前記方法は、前記ネットワークが、無線リンクを再確立するための手順を開始し、前記ダウンリンク共有チャネル接続を再確立することを含む、請求項１に記載の方法。
【請求項５】
前記方法は、アクティブセットにおいて最も強いセルである前記適合するセルを選ぶステップを含む、請求項３に記載の方法。
【請求項６】
前記方法は、前記サービスセルからの接続が失われる前に行われた計測に基づいて前記適合するセルを選ぶステップを含む、請求項３に記載の方法。
【請求項７】
前記方法は、セル専用チャネルモードで無線リソース制御シグナリング接続を修復するために、通常の専用物理チャネルをセットアップするステップを含む、請求項１に記載の方法。
【請求項８】
前記アクセスチャネルはランダムアクセスチャネルである、請求項３に記載の方法。
【請求項９】
前記ダウンリンク共有チャネルは高速ダウンリンク共有チャネルである、請求項１に記載の方法。
【請求項１０】
前記制御チャネルは専用制御チャネルである、請求項１に記載の方法。
【請求項１１】
前記端末は、前記ダウンリンク共有チャネルが失われたことを検出した後、前記ネットワークへ通知しうるように構成される、請求項１に記載の方法。
【請求項１２】
請求項１に記載の方法であって、
前記モジュールが、前記正しく受信されないだろうことの検出に基づき、ダウンリンク共有チャネル接続が失われたことを検出することを含み、
さらに、前記移行したセルフォワードアクセスチャネル状態でシグナル無線ベアラセットアップ手順を開始することを含む、方法。
【請求項１３】
前記ネットワークが、ダウンリンク共有チャネル接続が失われたことを検出し、前記端末がセルフォワードアクセスチャネル状態にあると内部で見なし、その後、ハング中の全ての専用物理チャネルを終了する、請求項１に記載の方法。
【請求項１４】
前記検出するステップは、前記サービスセルから受信した前記制御チャネル内の情報に基づいて品質基準を判断するステップを含む、請求項１に記載の方法。
【請求項１５】
端末において、制御チャネルがダウンリンク共有チャネルへマッピングされる際に、前記共有チャネルがネットワーク内のサービスセルから正しく受信されないだろうことを検出し、前記端末をセルフォワードアクセスチャネル状態へ自律的に移行させるよう構成される１つ以上の集積回路を備える、チップハードウェアを含むデバイス。
【発明の詳細な説明】
【技術分野】
【０００１】
本発明は、概して、符号分割多元接続（Code Division Multiple Access; CDMA）に基づいて第3世代移動体通信規格化プロジェクト（3rd Generation Partnership Project; 3GPPまたは3GPP2）の一部を形成するユニバーサル移動体通信システム（Universal Mobile Telecommunications System; UTMS）を含む、UTMSに関する。
【０００２】
本発明は、高速ダウンリンクパケットアクセス（High Speed Downlink Packet Access; HSDPA）およびHSDPAとともに使用される新しい特徴、いわゆる「部分専用物理チャネル（Fractional Dedicated Physical Channel; F-DPCH）」を含む、リリース6広帯域CDMA（「WCDMA」としても知られている）規格に関し、より具体的には、HSDPA/F-DPCHによる失われたシグナリング接続のリカバリ方法に関する。
【関連する問題の説明】
【０００３】
一般に、図1aおよび1bは、当該技術分野で知られているUMTSパケットネットワークアーキテクチャの基本図を示す。図laにおいて、UMTSパケットネットワークアーキテクチャは、ユーザ装置（UE）、UMTS地上波無線アクセスネットワーク（UMTS Terrestrial Radio Access Network; UTRAN）、およびコアネットワーク（Core Network; CN）の主要な構造要素を含む。UE（本明細書においては「端末」とも称する）は、無線（Uu）インターフェース上でUTRANにインターフェースで接続され、一方、UTRANは、（有線）Iuインターフェース上でコアネットワーク（CN）にインターフェースで接続している。図1bは、アーキテクチャ、特に、それぞれが少なくとも1つの無線ネットワーク制御装置（Radio Network Controller; RNC）を含有する複数の無線ネットワークサブシステム（Radio Network Subsystem; RNS）を含むUTRANのさらなる詳細を示す。動作中、各RNCは、GSM基地局へのUMTS対応部分である複数のノードBに接続されることができる。各ノードBは、図1bに示す無線インターフェース（Uu）を介して複数のUEと無線接続していてよい。あるUEは、1つ以上のノードBが異なるRNCに接続されている場合であっても、複数のノードBと無線接続していてよい。例えば、図1bに示すUE1は、RNS1のノードB2およびRNS2のノードB3と無線接続していてよく、ここでノードB2とノードB3は隣接するノードBである。これは、例えば、UE1がハンドオーバー状態にあり、1つのノードBから別のノードBへの接続において変化がある場合に生じる。異なるRNSのRNCは、携帯UEが、1つのRNCのノードBに属するセルから別のRNCのノードBに属するセルへ移動しながら、両方のRNCと交信を保つことを可能にするIurインターフェースによって接続されることができる。
【０００４】
リリース6 WCDMA規格は、HSDPAとともに「部分専用物理チャネル（F-DPCH）」の使用を提供し、これは図1aおよび1bにおいて示されるようにUMTSにおいて実装されることができる。特に、図2は、提案されているダウンリンク（DL）内のF-DPCHスロットフォーマットを示し、DL専用物理チャネル（DPCH）内には、専用物理データチャネル（DPDCH）ビットを搬送するいかなるデータのためのスペースもないという事実を説明している。例えば、現在のDPCH無線フレームは、各スロット＃1がDPDCH（データ1）、DPCCH（TPCおよびTFCI）、DPDCH（データ2）ならびにDPCCH（Pilot）を有する15のスロットを含み、一方、提案されているF-DPCHスロットフォーマットは、それぞれがTx OFFに関連してTPCおよびPilotの何らかの配置を有する5つの異なるオプション1〜5（オプション4は当該規格に採用された）を含み、ここで伝送はオフであるが、図示するようにDPDCHビットはオフではない。
【０００５】
実際に、F-DPCHの原理は、ダウンリンク方向において専用物理制御チャネル（DPCCH）のみを有し専用物理データチャネル（DPDCH）を全く有しないことであり、したがって、制御シグナリングを搬送する論理チャネル、専用制御チャネル（DCCH）（無線リソース制御（RRC）シグナリング等）を含むダウンリンク内のすべてのトラフィックは、HSDPA上に（例えば、HS-DSCH上に）搬送されるであろう。
【０００６】
このアプローチに関連する問題は、ソフトハンドオーバーエリア内のセルエッジにおいて、端末は単一の無線基地局装置（Base Transceiving Station; BTS）（HS-DSCHはソフトハンドオーバーにあることができないため）のみからHS-DSCH以外のいくつかの無線リンクを受信している場合があることである。リリース5規格において、HS-DSCHを持つサービスセルが弱くなってきたことを計測が示す場合、ダウンリンクPDCH（DPCCHおよびDPDCHによって形成され、したがってデータ搬送性能を有するDPCH）に伝送された制御‐シグナリング‐搬送論理チャネルDCCHを使用して、別のセルから来るHS-DSCHを再構成する制御メッセージをトランスポートすることができる。これは、UEがSHO内にある際には同じDPDCHコンテンツがソフトハンドオーバーに関与するすべてのセルから伝送されるが、HS-DSCHは1つのセルのみから伝送され、したがって1つのセルからのシグナリングを失うことはダウンリンクDPDCH上に伝送されたチャネルの受信に影響を及ぼさないからである（以下の図1d参照）。ここで制御シグナリングを配信するDCCHがHS-DSCHへマッピングされ、HS-DSCHを伝送するこのセルが確実なシグナリング伝達には弱くなりすぎる（かつ、最悪の場合には適合するセルのアクティブセットから失われる）場合、いくつかのセルから生じるDPCHがあるが端末のためにダウンリンク内のシグナリングを搬送する可能性はなく、したがって、ネットワークが端末の受信をそれが失われたHS-DSCHからどこか他の場所へ再構成する機構がないという状況が展開する。常にDPCH上にある（かつHS-DSCH上には絶対にない）DCCHをマッピングすることによって問題は単純に回避できるが、この状況はリリース5規格であっても生じる（例えば、DCCHがHS-DSCHへマッピングされる場合）。しかしながら、F-DPCHを使用すると、シグナリング伝達HS-DSCHを使用する以外に利用可能なオプションはなく、したがって問題は避けられない。
【０００７】
例えば、図1cは特に、CELL_DCH状態の場合にDCCHがどのようにしてHSDPAまたはDCHチャネルのいずれかへマッピングされるか、また同時に、CELL_FACH状態の場合にDCCHがどのようにしてマッピングされるかを示し、一方、図1dは、HS-DSCHが常に1つのセルのみから伝送されることを示す。動作中、DCCHがDPCHとともに伝送されると、SHO内においてすべての無線リンクを使用して伝送され、したがってDCCH接続を切断しない1つの無線リンクを失うが、DCCHがHS-DSCHとともに伝送されると、SHO内において無線リンク（Radio Link; RL）が失われ、次いでDCCH接続が失われ、CELL_FACHへ移行して、ここで、CELL_FACE状態ですべてのUEによって共有されるフォワードアクセスチャネルを使用してDCCHが送信されることによって回復されることができる。
【０００８】
この問題に解決策を提供する既知の先行技術はない。
【発明のまとめ】
【０００９】
本発明は、この問題に解決策を提供するものである。
【００１０】
最も広い意味において、本発明は、端末などの1つのノードにおいて、制御チャネルがダウンリンク共有チャネルへマッピングされる際に、前記共有チャネルがネットワーク内のサービスセルの制御におけるノードBなどの別のノードから正しく受信されないだろうことを検出し、前記端末を別のプロトコル状態へ自立的に移行させるステップを特色とする、新しくかつ独自の方法を提供する。当該方法は、前記端末のユーザから必要とされるアクションなしに、前記端末と前記ネットワークとの間におけるシグナリング搬送接続の自動再確立も含む。
【００１１】
一実施例において、前記ダウンリンク共有チャネルは高速ダウンリンク共有チャネル（HSDSCH）であってよく、前記制御チャネルは専用制御チャネル（DCCH）であってよく、前記DCCHはHS-DSCH上で搬送されることができ、制御プロトコルは無線リソース制御（RRC）プロトコルであってよく、プロトコル状態は、例えばCELL_FACHおよびCELL_DCH、またはこれらの特徴の1つ以上の何らかの組み合わせなどのRRCプロトコル状態であってよい。
【００１２】
動作中、前記端末は、前記ダウンリンク共有チャネルが失われたことを検出した後、そのネットワークへ通知することができる。前記端末は、アクセスチャネル上においてネットワークノードに通知するためのアップリンクシグナリングを開始し、適合するセルにおいてダウンリンク共有チャネル再確立を要求することもできる。一実施例において、前記アクセスチャネルは、ランダムアクセスチャネル（RACH）またはその他適合するアクセスチャネルの形態をとってよい。前記適合するセルは、セルのアクティブセットにおいて最も強いセルであってよく、前記サービスセルからの接続が失われる前に行われた計測に基づくものであってよい。
【００１３】
代替の実施例において、ネットワーク自体は前記無線リンクを再確立するための手段を開始し、妥当な場合、前記ダウンリンク共有チャネル接続を再確立することができる。
【００１４】
本発明によると、前記検出するステップは、1つ以上のTPCフィールド内の情報を含む、前記サービスセルから受信した前記制御チャネル内の情報に基づいて品質基準を判断するステップを含んでよい。前記端末は、前記共有チャネルとの同じ無線リンクにおいて伝送された前記制御チャネルの品質が、所定期間にわたって所定閾値品質（Qout）より劣る際に、前記共有チャネルが失われたことを検出する。一例として、所定閾値品質（Qout）は制御チャネル内のTPCフィールドの約30％エラー、またはその他何らかの適合する品質基準に対応してよく、所定期間は約160ミリ秒、またはその他何らかの適合するタイムフレームであってよい。前記端末が、専用物理チャネルがアップリンクおよびダウンリンク方向にある前記端末に割り当てられた一定の状態にある場合、所定期間にわたって品質基準を検討した後、前記端末はリンク品質が「同期している」または「同期していない」と見なす。1つまたはいくつかの連続的な評価期間にわたる品質基準を確立された物理チャネルと比較して「同期していない」と見なした後に前記端末はタイマーを開始し、1つまたは多数の後続期間にわたる品質基準を「同期している」と見なした際に、前記端末はタイマーを停止およびリセットし、または前記タイマーが切れた場合は無線リンク障害があると判定する。前記確立された物理チャネルは物理チャネル（DPCCHまたはF-DPCH）を含んでよい。無線リンク障害は、UEがセル更新手順を開始するのをトリガすることができ、その間に専用物理チャネルが解除され、端末はCELL_FACH状態へ移行する。
【００１５】
特に、当該方法は、独自に、CELL_DCH状態で無線リソース制御（RRC）シグナリング接続を修復するために、通常のR'99/R'5 DPCHをセットアップするステップを特色とする。
【００１６】
本発明は、ユーザ装置または端末、ネットワークノード、ネットワークまたはシステム、コンピュータプログラムもしくはそれらの何らかの組み合わせのうちいずれかの形態をとり得る装置において実装されることができる。
【００１７】
例えば、ユーザ装置または端末は、本発明に従って、かつ本明細書に記載されていることと一致するように、制御チャネルがダウンリンク共有チャネルへマッピングされる際に、前記共有チャネルがネットワーク内のサービスセルから正しく受信されないだろうことを検出し、前記ユーザ装置を別のプロトコル状態へ自立的に移行させるモジュールを特色とすることができる。
【００１８】
ネットワークノードは、本発明に従って、かつ本明細書に記載されていることと一致するように、該当するネットワーク内の該当するユーザ装置（または端末）と連携するモジュールであって、前記対応するモジュールは、前記端末が、該当する制御チャネルが該当するダウンリンク共有チャネルへマッピングされる際に、該当するネットワーク内の該当するサービスセルから正しく受信されないだろうことを検出し、該当する別のプロトコル状態へ自立的に移行させるモジュールを特色とすることができる。
【００１９】
ネットワークまたはシステムは、該当する端末と連携するための該当するネットワークノードを有するであろう。
【００２０】
本発明は、機械可読担体に格納されたプログラムコードを持つコンピュータプログラムであって、前記コンピュータプログラムが、端末またはUE、ネットワークノード、もしくはそれらの何らかの組み合わせのいずれかのプロセッサまたは制御モジュールにおいて起動する際に、端末またはUEもしくはネットワークノードにおいて、制御チャネルがダウンリンク共有チャネルへマッピングされる際に、前記共有チャネルがネットワーク内のサービスセルから正しく受信されないだろうことを検出するステップと、前記端末を別のプロトコル状態へ自立的に移行させるステップとを含む方法のステップを実行するための、コンピュータプログラムの形態をとることもできる。
【００２１】
本発明の範囲は、端末において、制御チャネルがダウンリンク共有チャネルへマッピングされる際に、前記共有チャネルがネットワーク内のサービスセルから正しく受信されないだろうことを検出し、前記端末を別のプロトコル状態へ自立的に移行させるための1つ以上の集積回路を備える、チップハードウェアを含むデバイスも対象としている。前記デバイスは、その機能性を実行するための特定用途向け集積回路（Application Specific Integrated Circuit; ASIC）の形態をとってよい。例えば、前記チップハードウェアは、サービスセルの一部を形成する端末またはネットワークノードの一部を形成してよい。
【００２２】
その最も基本的な動作において、本発明は、例えば、端末またはUEが、DCCHがHS-DSCHへマッピングされる際に、サービスセルから、例えばHS-DSCHを、正しく受信できないだろうことを検出する場合（例えば、アップリンク計測レポートや、一般的にサービスHS-DSCHセルにおいて共通パイロットチャネル（CPICH）のレベルが低下し過ぎることについての、いかなる無線リンク制御（RLC）承認モードフィードバックも受信しない）における、新しい端末またはUE挙動を定義する。
【００２３】
一解決策において、前記端末はセルフォワードアクセスチャネル（CELL_FACH）状態へ自立的に移行され、ランダムアクセスチャネル（RACH）上においてネットワークに通知するためのアップリンクシグナリングを開始し、適合するセルにおいてHS-DSCH再確立を要求する（好ましくは、アクティブセットにおける最も強いものにおいて、または、サービスHS-DSCHセルからの接続が失われる前に行われた計測に従って）、もしくは、CELL_DCH状態でRRCシグナリング接続を修復するために、通常のR'99/R'5 DPCHがセットアップされるであろう。
【００２４】
代替の解決策としては、CELL_FACH状態へ自立的に移行してDPCH接続を解除する代わりに、UEは、前記DPCHの前記ネットワークとの物理層接続を維持し、RRCシグナリング伝達のためにアクティブセット内における別のセルのFACH（またはHS-DSCH）をリスニングし始めることができる。この構想の欠点は、ソフトハンドオーバー（SHO）において選ぶセルがいくつかあり、ネットワークはFACH（HS-DSCHも同様）が1つのセルのみに送信されるため、RRCメッセージが送信されるべきセルが自動的にはわからないということである。
【００２５】
第3の解決策としては、CELL_FACH状態へ自立的に移行してDPCH接続を解除する代わりに、UEは、前記DPCHの前記ネットワークとの前記物理層接続を維持することができ、UEおよびネットワークはSRBをDPDCHに自動的に再構成することができ、使用されているF-DPCHの場合にもF-DPCHを事前構成されたR'99 DPCHに再構成することができる。しかしながら、この解決策は、UEのためにその他の解決策よりも高価な事前構成を必要とする可能性が高く、したがって採用されない可能性が高い。
【００２６】
本発明の一利点は、シグナル無線ベアラがHS-DSCHへマッピングされ、HS-DSCH接続が失われた場合に、リカバリ機構を提供することである。
【００２７】
本発明の前述およびその他の目的、特徴および利点は、その典型的な実施例の以下の詳細な説明に照らして、より明らかとなるであろう。
【発明を実施するための最良の形態】
【００２８】
本発明の実装形態は、以下を含んでよい。
【００２９】
初期条件は、シグナリング無線ベアラ（例えば、DCCHと称される論理チャネル上で送信されるRRCシグナリング）がHS-DSCHへマッピングされることである。その他のオプションは存在しないためにF-DPCHが使用される場合にもそうでなくてはならない。
【００３０】
ここで、HS-DSCH接続が失われる（すなわち、ネットワークがUEまたは端末上での制御を失う）というイベントにおいて、UEはこの状況を検出することができ、例えば何らかのネットワーク設定された遅延の後、UEは自立的にCELL_FACHモードに戻り、通常通りRACH上でシグナル無線ベアラ（SRB）セットアップ手順を開始することができる。
【００３１】
また、ネットワークは同じ状況を検出することができ、上述の遅延の後、UEがCELL_FACH状態にあると内部で見なし、その後、ハング中のDPCHを終了することができる。
【００３２】
ネットワークは、例えば、CPICHレベル、最後のメッセージが受信されてからの遅延（ネットワーク側に既に存在する非活動タイマーと同様）またはその他のものに基づいて、HS-DSCH接続が失われたとUEが見なす時の基準を制御することができた。また、ネットワークは、UEがこの状況を検出した後、CELL_FACH状態に移行する前に待つよう、ヒステリシス遅延を設定することができる。
【００３３】
図3：端末またはUE 100
図3は、一例として、本明細書に図示され記載されているものと一致する、図1aおよび1bに示されるネットワークの一部を形成することができる、本発明によると概して100として示されている端末またはUEを示す。端末またはUEは、ダウンリンク共有チャネル検出モジュール102およびその他の端末モジュール104を含む。
【００３４】
動作中、ダウンリンク共有チャネル検出モジュール102は、端末において、制御チャネルがダウンリンク共有チャネルへマッピングされる際に、前記共有チャネルがネットワーク内のサービスセルから正しく受信されないだろうことを検出し、前記端末を別のプロトコル状態へ自立的に移行させる。
【００３５】
モジュール102は、前記端末のユーザから必要とされるアクションなしに、前記端末と前記ネットワークとの間におけるシグナリング搬送接続の自動再確立を提供するために、図4に関連して図示され記載されているネットワークノードと連携もしている。
【００３６】
本明細書に記載されているものと一致するように、前記ダウンリンク共有チャネルは高速ダウンリンク共有チャネル（HS-DSCH）を含んでよく、前記制御チャネルは専用制御チャネル（DCCH）を含んでよく、前記その他のチャネル状態はセルフォワードアクセスチャネル（FACH）状態を含んでよく、前記プロトコル状態は無線リソース制御（RRC）プロトコル状態を含んでよい。
【００３７】
動作中、モジュール102は、ダウンリンク共有チャネルが失われたことを検出した後、そのネットワークノード（図4）へ通知する。またモジュール102は、アクセスチャネル上においてネットワークノードに通知するためのアップリンクシグナリングを開始し（図4）、適合するセルにおいてダウンリンク共有チャネル再確立を要求する。前記アクセスチャネルは、ランダムアクセスチャネル（RACH）を含んでよい。適合するセルは、セルのアクティブセットにおいて最も強いセルであってよく、前記サービスセルからの接続が失われる前に行われた計測に基づくものであってよい。本発明の範囲は、前記無線リンクを再確立するための手段を開始し、妥当な場合、例えば、本明細書において論じられているものと一致するネットワークノードにおいて、前記ダウンリンク共有チャネル接続を再確立するネットワークを含むことも意図している。
【００３８】
モジュール102は、CELL_DCHモードで無線リソース制御（RRC）シグナリング接続を修復するために、通常のR'99/R'5 DPCHをセットアップすることもできる。
【００３９】
一例として、モジュール102の機能性は、本発明の範囲はそれら任意の特定の実施例に限定されることを意図するものではないが、ハードウェア、ソフトウェア、ファームウェア、またはそれらの組み合わせを使用して実装されることができる。典型的なソフトウェア実装において、モジュール102は、マイクロプロセッサ、ランダムアクセスメモリ（Random Access Memory; RAM）、読み出し専用メモリ（Read Only Memory; ROM）、入力／出力デバイスおよび制御、データおよびそれを接続するアドレスバスを有する1つ以上のマイクロプロセッサベースのアーキテクチャであろう。当業者であれば、過度の実験なく本明細書に記載されている機能性を実行するために、該当するマイクロプロセッサベースの実装をプログラムすることができるであろう。本発明の範囲は、既知の、または将来開発される技術を使用する任意の特定の実装に限定されることを意図するものではない。さらに、本発明の範囲は、別のモジュールを実装するためのその他の回路と組み合わせて、スタンドアロンモジュールであるモジュール102を含むことを意図している。
【００４０】
その他のモジュール104とその機能性は当該技術分野において既知であり、それ自体は根本的な発明の一部を形成しないため、本明細書においては詳述しない。例えば、その他のモジュール104は、当該技術分野において既知であり、本明細書には記載されていないUMTS加入者識別モジュール（Subscriber Identity Module; USIM）および携帯装置（Mobile Equipment; ME）モジュールなど、その他のモジュールを含んでよい。モジュール102は、スタンドアロンモジュールであってよく、USIM、MEまたはそれらの何らかの組み合わせの一部を形成することができる。
【００４１】
図4：ネットワークノード200
図4は、一例として、本明細書に図示され記載されているものと一致する、図1aおよび1bに示されるRNS、RNC、ノードBまたはそれらの何らかの組み合わせの一部を形成することができる、本発明によると概して200として示されているネットワークノードを示す。本発明の範囲は、ネットワークノードの機能性がネットワーク内で実装される場合に限定されることを意図するものではない。ネットワークノード200は、ダウンリンク共有チャネルモジュール202およびその他のネットワークモジュール204を含む。
【００４２】
ダウンリンク共有チャネルモジュール202は、図1aおよび1bに示すもののような該当するネットワーク内のユーザ装置または端末100のモジュール102と連携しており、モジュール202は、本発明に従って、また本明細書に記載されていることと一致するように、端末100が、該当する制御チャネルが該当するダウンリンク共有チャネルへマッピングされる際に、前記共有チャネルが前記ネットワーク内の該当するサービスセルから正しく受信されないだろうことを検出し、該当する別のプロトコル状態へ自立的に移行させることを可能にする。
【００４３】
モジュール202は、前記端末のユーザから必要とされるアクションなしに、前記端末と前記ネットワークとの間におけるシグナリング搬送接続の自動再確立を提供するために、図3に関連して図示され記載されているモジュール102と連携もしている。
【００４４】
動作中、モジュール202は、無線リンクを再確立するための手順を開始し、妥当な場合、本明細書において論じられているものと一致する、ダウンリンク共有チャネル接続を再確立することができる。
【００４５】
一例として、モジュール202の機能性は、本発明の範囲はそれら任意の特定の実施例に限定されることを意図するものではないが、ハードウェア、ソフトウェア、ファームウェア、またはそれらの組み合わせを使用して実装されることができる。典型的なソフトウェア実装において、モジュール102は、マイクロプロセッサ、ランダムアクセスメモリ（RAM）、読み出し専用メモリ（ROM）、入力／出力デバイスおよび制御、データおよびそれを接続するアドレスバスを有する1つ以上のマイクロプロセッサベースのアーキテクチャであろう。当業者であれば、過度の実験なく本明細書に記載されている機能性を実行するために、該当するマイクロプロセッサベースの実装をプログラムすることができるであろう。本発明の範囲は、既知の、または将来開発される技術を使用する任意の特定の実装に限定されることを意図するものではない。さらに、本発明の範囲は、別のモジュールを実装するためのその他の回路と組み合わせて、スタンドアロンモジュールであるモジュール102を含むことを意図している。
【００４６】
その他のモジュール204とその機能性は当該技術分野において既知であり、それ自体は根本的な発明の一部を形成しないため、本明細書においては詳述しない。例えば、その他のモジュール204は、当該技術分野において既知であり、本明細書には記載されていないが、RNS、RNC、ノードBまたはそれらの何らかの組み合わせにおいて、1つ以上のその他のモジュールを含んでよい。
【００４７】
略称リスト
CPICH    Common Pilot Channel（共通パイロットチャネル）
DCCH     Dedicated Control Channel（専用制御チャネル）
DL       Downlink（ダウンリンク）
DPCH     Dedicated Physical Channel（専用物理チャネル）
DPCCH    Dedicated Physical Control Channel（専用物理層チャネル）
DPDCH    Dedicated Physical Data Channel（専用物理データチャネル）
FACH     Forward Access Channel（フォワードアクセスチャネル）
F-DPCH   Fractional DPCH（部分専用物理チャネル）
HS-DSCH  High Speed Downlink Shared Channel（高速ダウンリンク共有チャネル）
RACH     Random Access Channel（ランダムアクセスチャネル）
RLC      Radio Link Control（無線リンク制御）
RRC      Radio Resource Control（無線リソース制御）
SHO      SOFT HANDOVER（ソフトハンドオーバー）
SRB      Signaling Radio Bearer（シグナル無線ベアラ）
TFCI     Transport Format Combination Indicator（トランスポートフォーマット組み合わせ識別子）
TPC      Transmission Power Control（伝送電力制御）
UE       User Equipment （ユーザ装置）
UL       Uplink（アップリンク）
【００４８】
発明の範囲
本明細書において別段の記述がない限り、本明細書における特定の実施例に関するあらゆる特徴、特性、代替、または修正は、本明細書に記載されているその他いかなる実施例に適用する、使用する、または組み込むこともできることを理解すべきである。また、本明細書の図面は、原寸に比例して描かれていない。
本発明をその典型的な実施例に関して記述および説明したが、本発明の精神および範囲を逸脱することなく、それらの実施例には前述およびその他様々な追加および省略を行うことができる。
【図面の簡単な説明】
【００４９】
図面は原寸に比例して描かれたものではなく、以下の図を含む。
【図１ａ】当該技術分野で知られているUMTSパケットネットワークアーキテクチャの基本図を示す。
【図１ｂ】当該技術分野で知られているUMTSパケットネットワークアーキテクチャの基本図を示す。
【図１ｃ】ネットワーク制御シグナリングを搬送するチャネルおよびUEがソフトハンドオーバーしている際の物理層接続の図を示す。
【図１ｄ】ネットワーク制御シグナリングを搬送するチャネルおよびUEがソフトハンドオーバーしている際の物理層接続の図を示す。
【図２】提案されているダウンリンク内のF-DPCHスロットフォーマットを示す（3GPPはオプション4を採用）。
【図３】本発明によるユーザ装置または端末のブロック図を示す。
【図４】本発明によるネットワークノードのブロック図を示す。
【図１ａ】
0004827839.tif 000002
【図１ｂ】
0004827839.tif 000003
【図１ｃ】
0004827839.tif 000004
【図１ｄ】
0004827839.tif 000005
【図２】
0004827839.tif 000006
【図３】
0004827839.tif 000007
【図４】
0004827839.tif 000008